(57)【要約】【課題】「ＰＣＩ  Ｃｏｎｆｕｓｉｏｎ」を回避する。【解決手段】本発明に係る無線基地局ｅＮＢ＃２は、無線基地局ｅＮＢ＃１から受信した「ＨＯ  Ｐｒｅｐａｒａｔｉｏｎ」に対する「ＨＯ  Ｐｒｅｐａｒａｔｉｏｎ  ＡＣＫ」によって、無線基地局ｅＮＢ＃１に対して、セル＃２において使用可能なＣ-ＲＮＴＩを送信するように構成されている送信部１１と、移動局ＵＥから受信した「ＨＯ  Ｃｏｍｐｌｅｔｅ」に含まれているＣ-ＲＮＴＩがセル＃２において使用可能なＣ-ＲＮＴＩであると判定した場合、「ＨＯ  Ｃｏｍｐｌｅｔｅ」に含まれているＣ-ＲＮＴＩを用いて、移動局ＵＥに対して割り当てる無線リソースを通知するように構成されているリソース割当部１４とを具備する。【選択図】図６
2011004377.tif 000002
【特許請求の範囲】
【請求項１】
移動局が、第１セルから第２セルにハンドオーバを行うハンドオーバ方法であって、
前記第１セルを管理する第１無線基地局が、前記移動局に対して、前記第２セルにおいて使用可能な移動局識別情報を含むハンドオーバ指示信号を送信する工程と、
前記移動局が、前記ハンドオーバ指示信号を受信した後、前記第２セルを管理する第２無線基地局に対して、共通のランダムアクセスプリアンブルを送信する工程と、
前記移動局が、前記共通のランダムアクセスプリアンブルに対するランダムアクセス応答を受信した後、前記第２無線基地局に対して、前記ハンドオーバ指示信号に含まれている移動局識別情報を含むハンドオーバ完了信号を送信する工程と、
前記第２無線基地局が、前記ハンドオーバ完了信号に含まれている移動局識別情報が前記第２セルにおいて使用可能な移動局識別情報であると判定した場合、該ハンドオーバ完了信号に含まれている移動局識別情報を用いて、前記移動局に対して割り当てる無線リソースを通知する工程とを有することを特徴とするハンドオーバ方法。
【請求項２】
前記移動局が、前記ハンドオーバ指示信号を送信した後、前記第２無線基地局からの応答を受信することなく、所定期間が経過した場合、再接続手順を行う工程を更に有することを特徴とする請求項１に記載のハンドオーバ方法。
【請求項３】
前記第２無線基地局が、前記ハンドオーバ完了信号に含まれている移動局識別情報が前記第２セルにおいて使用可能な移動局識別情報でないと判定した場合、該記ハンドオーバ完了信号に対して応答することなく、該ハンドオーバ完了信号を廃棄する工程を更に有することを特徴とする請求項１又は２に記載のハンドオーバ方法。
【請求項４】
移動局が、第１セルから第２セルにハンドオーバを行うハンドオーバ方法であって、
前記第１セルを管理する第１無線基地局が、前記移動局に対して、移動局識別情報を含むハンドオーバ指示信号を送信する工程と、
前記移動局が、前記ハンドオーバ指示信号を受信した後、前記第２セルを管理する第２無線基地局に対して、該第２セルにおいて使用可能な個別のランダムアクセスプリアンブルを送信する工程と、
前記第２無線基地局が、受信した前記個別のランダムアクセスプリアンブルが前記第２セルにおいて使用可能な個別のランダムアクセスプリアンブルであると判定した場合、前記移動局に対して、ランダムアクセス応答を送信する工程と、
前記移動局が、前記ランダムアクセス応答を受信した後、前記第２無線基地局に対して、ハンドオーバ完了信号を送信する工程と、
前記第２無線基地局が、前記ハンドオーバ完了信号を受信した後、前記移動局に対して割り当てる無線リソースを通知する工程とを有することを特徴とするハンドオーバ方法。
【請求項５】
前記移動局が、前記個別のランダムアクセスプリアンブルを送信した後、前記ランダムアクセス応答を受信することなく、所定期間が経過した場合、再接続手順を行う工程を更に有することを特徴とする請求項４に記載のハンドオーバ方法。
【請求項６】
前記第２無線基地局が、受信した前記個別のランダムアクセスプリアンブルが前記第２セルにおいて使用可能な個別のランダムアクセスプリアンブルでないと判定した場合、前記移動局に対してランダムアクセス応答を送信しない工程を更に有することを特徴とする請求項４又は５に記載のハンドオーバ方法。
【請求項７】
移動局が第１セルから第２セルにハンドオーバを行う場合に該第２セルを管理する第２無線基地局として動作可能な無線基地局であって、
前記第１セルを管理する第１無線基地局から受信したハンドオーバ準備信号に対する応答によって、該第１無線基地局に対して、前記第２セルにおいて使用可能な移動局識別情報を送信するように構成されている送信部と、
前記移動局から受信したハンドオーバ完了信号に含まれている移動局識別情報が前記第２セルにおいて使用可能な移動局識別情報であると判定した場合、該ハンドオーバ完了信号に含まれている移動局識別情報を用いて、該移動局に対して割り当てる無線リソースを通知するように構成されているリソース割当部とを具備することを特徴とする無線基地局。
【請求項８】
前記リソース割当部は、前記ハンドオーバ完了信号に含まれている移動局識別情報が前記第２セルにおいて使用可能な移動局識別情報でないと判定した場合、該ハンドオーバ完了信号に対して応答することなく、該ハンドオーバ完了信号を廃棄するように構成されていることを特徴とする請求項７に記載の無線基地局。
【請求項９】
移動局が第１セルから第２セルにハンドオーバを行う場合に該第２セルを管理する第２無線基地局として動作可能な無線基地局であって、
前記移動局から受信した個別のランダムアクセスプリアンブルが前記第２セルにおいて使用可能な個別のランダムアクセスプリアンブルであると判定した場合、前記移動局に対してランダムアクセス応答を送信するように構成されている送信部と、
前記移動局に対して前記ランダムアクセス応答を送信した後、該移動局からハンドオーバ完了信号を受信した場合、該移動局に対して割り当てる無線リソースを通知するように構成されているリソース割当部とを具備することを特徴とする無線基地局。
【請求項１０】
前記リソース割当部は、前記移動局から受信した前記個別のランダムアクセスプリアンブルが前記第２セルにおいて使用可能な個別のランダムアクセスプリアンブルでないと判定した場合、該移動局に対して前記ランダムアクセス応答を送信しないように構成されていることを特徴とする請求項９に記載の無線基地局。
【請求項１１】
第１セルから第２セルにハンドオーバを行うことができる移動局であって、
前記第１セルを管理する第１無線基地局から、前記第２セルにおいて使用可能な移動局識別情報を含むハンドオーバ指示信号を受信した後、前記第２セルを管理する第２無線基地局に対して、共通のランダムアクセスプリアンブルを送信するように構成されているランダムアクセスプリアンブル送信部と、
前記共通のランダムアクセスプリアンブルに対するランダムアクセス応答を受信した後、前記第２無線基地局に対して、前記ハンドオーバ指示信号に含まれている移動局識別情報を含むハンドオーバ完了信号を送信するように構成されているハンドオーバ完了信号送信部とを具備することを特徴とする移動局。
【請求項１２】
前記ハンドオーバ指示信号を送信した後、前記第２無線基地局からの応答を受信することなく、所定期間が経過した場合、再接続手順を行うように構成されている再接続手順実施部を更に具備することを特徴とする請求項１１に記載の移動局。
【請求項１３】
第１セルから第２セルにハンドオーバを行うことができる移動局であって、
前記第１セルを管理する第１無線基地局からハンドオーバ指示信号を受信した後、前記第２セルを管理する第２無線基地局に対して、該第２セルにおいて使用可能な個別のランダムアクセスプリアンブルを送信するように構成されているランダムアクセスプリアンブル送信部と、
前記第２無線基地局から、前記個別のランダムアクセスプリアンブルに対するランダムアクセス応答を受信した後、前記第２無線基地局に対して、ハンドオーバ完了信号を送信するように構成されているハンドオーバ完了信号送信部とを具備することを特徴とする移動局。
【請求項１４】
前記個別のランダムアクセスプリアンブルを送信した後、前記ランダムアクセス応答を受信することなく、所定期間が経過した場合、再接続手順を行うように構成されている再接続手順実施部を更に具備することを特徴とする請求項１３に記載の移動局。
【発明の詳細な説明】
【技術分野】
【０００１】
本発明は、ハンドオーバ方法、無線基地局及び移動局に関する。
【背景技術】
【０００２】
図９を参照して、従来のＬＴＥ（Ｌｏｎｇ  Ｔｅｒｍ  Ｅｖｏｌｕｔｉｏｎ）方式の移動通信システムにおいて、移動局ＵＥが「セル＃１（Ｓｏｕｒｃｅ  ｃｅｌｌ）」から「セル＃２（Ｔａｒｇｅｔ  ｃｅｌｌ）」にハンドオーバを行う動作について説明する。
【０００３】
図９に示すように、ステップＳ２００１において、移動局ＵＥは、セル＃１を管理する無線基地局ｅＮＢ＃１に対して、「ＲＲＣ  Ｍｅａｓｕｒｅｍｅｎｔ  Ｒｅｐｏｒｔ」を送信する。
【０００４】
ステップＳ２００２において、無線基地局ｅＮＢ＃１が、セル２を管理する無線基地局ｅＮＢ＃２に対して、「第１セキュリティ情報」を含む「ＨＯ  Ｐｒｅｐａｒａｔｉｏｎ」を送信する。
【０００５】
この「第１セキュリティ情報」は、セル＃１及びセル＃２を含む移動通信システムと移動局ＵＥとの通信に適用するセキュリティ鍵であってもよいし、セル＃１及びセル＃２を含む移動通信システムと移動局ＵＥとの間で予め決められたルールに基づき算出された「秘密情報（ｓｈａｒｅｄ  ｓｅｃｒｅｔ）」であってもよい。
【０００６】
ステップＳ２００３において、無線基地局ｅＮＢ＃２が、無線基地局ｅＮＢ＃１に対して、セル＃２内における移動局ＵＥの識別情報である「ｎｅｗ  Ｃ-ＲＮＴＩ」を含む「ＨＯ  Ｐｒｅｐａｒａｔｉｏｎ  Ａｃｋ」を送信する。
【０００７】
ステップＳ２００４において、無線基地局ｅＮＢ＃１が、移動局ＵＥに対して、「ｎｅｗ  Ｃ-ＲＮＴＩ」を含む「ＲＲＣ  Ｒｅｃｏｎｆｉｇｕｒａｔｉｏｎ（ＨＯ  Ｃｏｍｍａｎｄ）」を送信する。
【０００８】
ステップＳ２００５において、移動局ＵＥが、無線基地局ｅＮＢ＃１に対して、ＭＡＣレイヤ（レイヤ２）における「ＲＲＣ  Ｒｅｃｏｎｆｉｇｕｒａｔｉｏｎ（ＨＯ  Ｃｏｍｍａｎｄ）」の受信処理が成功したことを通知するための「ＨＡＲＱ  Ａｃｋ」を送信する。
【０００９】
ステップＳ２００６において、移動局ＵＥは、「ＲＲＣ  Ｒｅｃｏｎｆｉｇｕｒａｔｉｏｎ（ＨＯ  Ｃｏｍｍａｎｄ）」によって指示されたセル＃２に移り、セル＃２に対して下り同期を確立する。
【００１０】
ステップＳ２００７において、移動局ＵＥは、ＲＡＣＨ（Ｒａｎｄｏｍ  Ａｃｃｅｓｓ  Ｃｈａｎｎｅｌ）を介して、無線基地局ｅＮＢ＃２に対して、「Ｄｅｄｉｃａｔｅｄ  ＲＡ  Ｐｒｅａｍｂｌｅ（個別のランダムアクセスプリアンブル）」又は「Ｃｏｍｍｏｎ  ＲＡ  Ｐｒｅａｍｂｌｅ（共通のランダムアクセスプリアンブル）」を送信する。
【００１１】
ステップＳ２００８において、無線基地局ｅＮＢ＃２が、移動局ＵＥに対して、「ＲＡ  Ｒｅｓｐｏｎｓｅ」を送信する。「ＲＡ  Ｒｅｓｐｏｎｓｅ」により、次のステップ２００９において用いるべき上りリソースが割り当てられる。
【００１２】
ステップＳ２００９において、移動局ＵＥが、無線基地局ｅＮＢ＃２に対して、「ＲＡ  Ｒｅｓｐｏｎｓｅ」によって割り当てられた上りリソースを用いて、「第２セキュリティ情報」を含む「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」を送信する。
【００１３】
ステップＳ２０１０において、無線基地局ｅＮＢ＃２が、無線基地局ｅＮＢ＃１によって通知された「第１セキュリティ情報」及び「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に含まれる「第２セキュリティ情報」を用いて移動局ＵＥに対する検証処理を行う。
【００１４】
ステップＳ２０１１において、無線基地局ｅＮＢ＃２が、移動局ＵＥに対して、ＭＡＣレイヤ（レイヤ２）における「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」の受信処理が成功したことを通知するための「ＨＡＲＱ  Ａｃｋ」を送信する。
【００１５】
ステップＳ２０１２において、無線基地局ｅＮＢ＃２が、交換機ＭＭＥに対して、「Ｐａｔｈ  Ｓｗｉｔｃｈ」を送信する。
【００１６】
ステップＳ２０１３において、無線基地局ｅＮＢ＃２が、移動局ＵＥ宛てのデータが発生した場合に、「ｎｅｗ  Ｃ-ＲＮＴＩ」を用いた「ＰＤＣＣＨ（Ｐｈｙｓｉｃａｌ  Ｄｏｗｎｌｉｎｋ  Ｃｏｎｔｒｏｌ  Ｃｈａｎｎｅｌ）」を用いて、移動局ＵＥに対して、スケジューリング情報を送信する。
【００１７】
ステップＳ２０１４において、無線基地局ｅＮＢ＃２が、かかるスケジューリング情報によって割り当てた下りリソースを用いて、移動局ＵＥに対して、移動局ＵＥ宛てのデータ（Ｕ-Ｐｌａｎｅ  Ｄａｔａ）を送信する。
【００１８】
或いは、移動局ＵＥが、ステップ２０１４において、かかるスケジューリング情報によって割り当てられた上りリソースを用いて、無線基地局ｅＮＢ＃２に対して、セル＃２宛てのデータ（Ｕ-Ｐｌａｎｅ  Ｄａｔａ）を送信する。
【００１９】
ステップＳ２０１５において、無線基地局ｅＮＢ＃２が、移動局ＵＥに対して、ＲＬＣレイヤの送達確認情報である「ＲＬＣ  Ｓｔａｔｕｓ」を送信する。
【００２０】
ステップＳ２０１６において、無線基地局ｅＮＢ＃２が、無線基地局ｅＮＢ＃１に対して、「Ｒｅｌｅａｓｅ  Ｒｅｓｏｕｒｃｅ」を送信する。
【先行技術文献】
【非特許文献】
【００２１】
【非特許文献１】３ＧＰＰ  ＴＳ３６.３００  Ｖ８.９.０、２００９年６月
【非特許文献２】３ＧＰＰ  ＴＳ３６.３３１  Ｖ８.６.０、２００９年６月
【発明の概要】
【発明が解決しようとする課題】
【００２２】
しかしながら、従来のＬＴＥ方式の移動通信システムでは、各セルを識別するための識別情報である「ＰＣＩ（Ｐｈｙｓｉｃａｌ  Ｃｅｌｌ  ＩＤ）」は、隣接していない複数のセルに対して繰り返し割り当てられるように構成されているため、図１０に示すように、移動局ＵＥが「セル＃２（Ｔａｒｇｅｔ  ｃｅｌｌ）」として想定しているセル（例えば、セル＃３）と、無線基地局ｅＮＢ＃１が「セル＃２（Ｔａｒｇｅｔ  ｃｅｌｌ）」として想定しているセル（例えば、セル＃２）とが異なるケース（ＰＣＩ  Ｃｏｎｆｕｓｉｏｎ）が存在し得る。
【００２３】
移動局ＵＥが、セル＃１が意図していないセル＃３へハンドオーバを行った場合、かかるセル＃３において、既に「ｎｅｗ  Ｃ-ＲＮＴＩ」と同一の「Ｃ-ＲＮＴＩ」を用いる他の移動局ＵＥが存在した場合、誤ってハンドオーバしてきた移動局ＵＥが、他の移動局ＵＥに宛てられたＰＤＣＣＨ情報を、あたかも自分宛てのＰＤＣＣＨ情報のように受信し、ＰＤＣＣＨによって割り当てられた下りリソースを使ってデータを受信したり、ＰＤＣＣＨによって割り当てられた上りリソースを使ってデータを送信したりする場合があるという問題点があった。
【００２４】
特に、移動局ＵＥが、下りデータに対するＨＡＲＱ  Ａｃｋや上りデータを送信した場合、他の移動局ＵＥの通信を妨げてしまうという問題点があった。
【００２５】
このような問題は、特に、フェムト無線基地局やホーム無線基地局やＣＳＧ（ｃｌｏｓｅｄ  ｓｕｂｓｃｒｉｂｅｒ  ｃｅｌｌ）を管理する無線基地局といった小型基地局が数多く設置される場合に顕在化する可能性が特に高い。
【００２６】
また、このような問題は、各セルにおいて自律的に「ＰＣＩ（Ｐｈｙｓｉｃａｌ  Ｃｅｌｌ  ＩＤ）」を選択設定するような自己設定機能や自己最適化機能が導入された場合に、顕在化する可能性がある。
【００２７】
そこで、本発明は、上述の課題に鑑みてなされたものであり、「ＰＣＩ  Ｃｏｎｆｕｓｉｏｎ」の発生を回避することができるハンドオーバ方法、無線基地局及び移動局を提供することを目的とする。
【課題を解決するための手段】
【００２８】
本発明の第１の特徴は、移動局が、第１セルから第２セルにハンドオーバを行うハンドオーバ方法であって、前記第１セルを管理する第１無線基地局が、前記移動局に対して、前記第２セルにおいて使用可能な移動局識別情報を含むハンドオーバ指示信号を送信する工程と、前記移動局が、前記ハンドオーバ指示信号を受信した後、前記第２セルを管理する第２無線基地局に対して、共通のランダムアクセスプリアンブルを送信する工程と、前記移動局が、前記共通のランダムアクセスプリアンブルに対するランダムアクセス応答を受信した後、前記第２無線基地局に対して、前記ハンドオーバ指示信号に含まれている移動局識別情報を含むハンドオーバ完了信号を送信する工程と、前記第２無線基地局が、前記ハンドオーバ完了信号に含まれている移動局識別情報が前記第２セルにおいて使用可能な移動局識別情報であると判定した場合、該ハンドオーバ完了信号に含まれている移動局識別情報を用いて、前記移動局に対して割り当てる無線リソースを通知する工程とを有することを要旨とする。
【００２９】
本発明の第２の特徴は、移動局が、第１セルから第２セルにハンドオーバを行うハンドオーバ方法であって、前記第１セルを管理する第１無線基地局が、前記移動局に対して、移動局識別情報を含むハンドオーバ指示信号を送信する工程と、前記移動局が、前記ハンドオーバ指示信号を受信した後、前記第２セルを管理する第２無線基地局に対して、該第２セルにおいて使用可能な個別のランダムアクセスプリアンブルを送信する工程と、前記第２無線基地局が、受信した前記個別のランダムアクセスプリアンブルが前記第２セルにおいて使用可能な個別のランダムアクセスプリアンブルであると判定した場合、前記移動局に対して、ランダムアクセス応答を送信する工程と、前記移動局が、前記ランダムアクセス応答を受信した後、前記第２無線基地局に対して、ハンドオーバ完了信号を送信する工程と、前記第２無線基地局が、前記ハンドオーバ完了信号を受信した後、前記移動局に対して割り当てる無線リソースを通知する工程とを有することを要旨とする。
【００３０】
本発明の第３の特徴は、移動局が第１セルから第２セルにハンドオーバを行う場合に該第２セルを管理する第２無線基地局として動作可能な無線基地局であって、前記第１セルを管理する第１無線基地局から受信したハンドオーバ準備信号に対する応答によって、該第１無線基地局に対して、前記第２セルにおいて使用可能な移動局識別情報を送信するように構成されている送信部と、前記移動局から受信したハンドオーバ完了信号に含まれている移動局識別情報が前記第２セルにおいて使用可能な移動局識別情報であると判定した場合、該ハンドオーバ完了信号に含まれている移動局識別情報を用いて、該移動局に対して割り当てる無線リソースを通知するように構成されているリソース割当部とを具備することを要旨とする。
【００３１】
本発明の第４の特徴は、移動局が第１セルから第２セルにハンドオーバを行う場合に該第２セルを管理する第２無線基地局として動作可能な無線基地局であって、前記移動局から受信した個別のランダムアクセスプリアンブルが前記第２セルにおいて使用可能な個別のランダムアクセスプリアンブルであると判定した場合、前記移動局に対してランダムアクセス応答を送信するように構成されている送信部と、前記移動局に対して前記ランダムアクセス応答を送信した後、該移動局からハンドオーバ完了信号を受信した場合、該移動局に対して割り当てる無線リソースを通知するように構成されているリソース割当部とを具備することを要旨とする。
【００３２】
本発明の第５の特徴は、第１セルから第２セルにハンドオーバを行うことができる移動局であって、前記第１セルを管理する第１無線基地局から、前記第２セルにおいて使用可能な移動局識別情報を含むハンドオーバ指示信号を受信した後、前記第２セルを管理する第２無線基地局に対して、共通のランダムアクセスプリアンブルを送信するように構成されているランダムアクセスプリアンブル送信部と、前記共通のランダムアクセスプリアンブルに対するランダムアクセス応答を受信した後、前記第２無線基地局に対して、前記ハンドオーバ指示信号に含まれている移動局識別情報を含むハンドオーバ完了信号を送信するように構成されているハンドオーバ完了信号送信部とを具備することを要旨とする。
【００３３】
本発明の第６の特徴は、第１セルから第２セルにハンドオーバを行うことができる移動局であって、前記第１セルを管理する第１無線基地局からハンドオーバ指示信号を受信した後、前記第２セルを管理する第２無線基地局に対して、該第２セルにおいて使用可能な個別のランダムアクセスプリアンブルを送信するように構成されているランダムアクセスプリアンブル送信部と、前記第２無線基地局から、前記個別のランダムアクセスプリアンブルに対するランダムアクセス応答を受信した後、前記第２無線基地局に対して、ハンドオーバ完了信号を送信するように構成されているハンドオーバ完了信号送信部とを具備することを要旨とする。
【発明の効果】
【００３４】
以上説明したように、本発明によれば、「ＰＣＩ  Ｃｏｎｆｕｓｉｏｎ」による致命的な問題の発生を回避することができるハンドオーバ方法、無線基地局及び移動局を提供することができる。
【図面の簡単な説明】
【００３５】
【図１】本発明の第１の実施形態に係る移動通信システムの全体構成図である。
【図２】本発明の第１の実施形態に係る移動通信システムの動作を説明するための図である。
【図３】本発明の第１の実施形態に係る無線基地局の機能ブロック図である。
【図４】発明の第１の実施形態に係る移動通信システムにおいて各セルで用いられるＣ-ＲＮＴＩの一例について示す図である。
【図５】本発明の第１の実施形態に係る移動局の機能ブロック図である。
【図６】本発明の第１の実施形態に係る移動通信システムの動作を示すシーケンス図である。
【図７】本発明の第２の実施形態に係る移動通信システムにおいて各セルで用いられるＲＡ  Ｐｒｅａｍｂｌｅの一例について示す図である。
【図８】本発明の第２の実施形態に係る移動通信システムの動作を示すシーケンス図である。
【図９】従来の移動通信システムの動作を説明するための図である。
【図１０】従来の移動通信システムの動作を説明するための図である。
【発明を実施するための形態】
【００３６】
（本発明の第１の実施形態に係る移動通信システムの構成）
図１乃至図４を参照して、本発明の第１の実施形態に係る移動通信システムの構成について説明する。
【００３７】
本発明の第１の実施形態に係る移動通信システムは、ＬＴＥ方式の移動通信システムであって、セル＃１を管理する無線基地局ｅＮＢ＃１や、セル＃２を管理する無線基地局ｅＮＢ＃２や、セル＃３を管理する無線基地局ｅＮＢ＃３等を具備している。
【００３８】
図１に示すように、本実施形態に係る移動通信システムでは、移動局ＵＥが、「セル＃１（Ｓｅｒｖｉｎｇ  ｃｅｌｌ、Ｓｏｕｒｃｅ  ｃｅｌｌ）」から「セル＃２（Ｔａｒｇｅｔ  ｃｅｌｌ）」にハンドオーバを行うように構成されている。
【００３９】
なお、無線基地局ｅＮＢ＃１乃至ｅＮＢ＃３の構成は、基本的に同一であるため、以下、無線基地局ｅＮＢの構成として説明する。
【００４０】
図２に、「ＰＣＩ  Ｃｏｎｆｕｓｉｏｎ」が発生した場合の本実施形態に係る移動通信システムの動作について示す。
【００４１】
図２に示すように、本実施形態に係る移動通信システムにおいて「ＰＣＩ  Ｃｏｎｆｕｓｉｏｎ」が発生した場合、「Ｒｅ-ｅｓｔａｂｌｉｓｈｍｅｎｔ（再接続手順）」が行われるか、或いは、「Ｄｅａｄｌｏｃｋ」状態となるかのいずれかであると想定される。
【００４２】
ここで、「ＰＣＩ  Ｃｏｎｆｕｓｉｏｎ」が発生した場合に「Ｄｅａｄｌｏｃｋ」状態となることを回避することが好ましい。したがって、「ＰＣＩ  Ｃｏｎｆｕｓｉｏｎ」が発生した場合、図２に示すステップＳ１０８の「Ｒｅ-ｅｓｔａｂｌｉｓｈｍｅｎｔ」が行われるように、本実施形態に係る移動通信システムを構成した。以下、このようにして構成された本実施形態に係る移動通信システムについて説明する。
【００４３】
図３に示すように、無線基地局ｅＮＢは、記憶部１０と、送信部１１と、受信部１２と、判定部１３と、リソース管理部１４とを具備している。
【００４４】
無線基地局ｅＮＢが、「セル＃２（Ｔａｒｇｅｔ  ｃｅｌｌ）」を管理する無線基地局ｅＮＢ＃２として動作している場合、記憶部１０は、セル＃２において使用可能な「Ｃ-ＲＮＴＩ（Ｃｅｌｌ-Ｒａｄｉｏ  Ｎｅｔｗｏｒｋ  Ｔｅｍｐｏｒａｒｙ  ＩＤ、移動局識別情報）」を管理するように構成されている。
【００４５】
なお、本実施形態に係る移動通信システムでは、図４に示すように、各セル専用のＣ-ＲＮＴＩ、すなわち、各セルにおいて使用可能なＣ-ＲＮＴＩが規定されている。
【００４６】
これら使用可能なＣ-ＲＮＴＩは、「ＰＣＩ  ｃｏｎｆｕｓｉｏｎ」の恐れがあるセル間（すなわち、同一ＰＣＩを用いる近隣のセル間）で重複しないよう、規定されている。
【００４７】
送信部１１は、移動局ＵＥや他の無線基地局ｅＮＢ等に信号を送信するように構成されている。
【００４８】
例えば、無線基地局ｅＮＢが、上述の無線基地局ｅＮＢ＃２として動作している場合、送信部１１は、セル＃１を管理する無線基地局ｅＮＢ＃１から受信した「ＨＯ  Ｐｒｅｐａｒａｔｉｏｎ（ハンドオーバ準備信号）」に対する「ＨＯ  Ｐｒｅｐａｒａｔｉｏｎ  ＡＣＫ（応答）」によって、無線基地局ｅＮＢ＃１に対して、セル＃２において使用可能なＣ-ＲＮＴＩの中から「ＨＯ  Ｃｏｍｍａｎｄ（ハンドオーバ制御信号）」によって移動局ＵＥに割り当てるＣ-ＲＮＴＩ（例えば、Ｃ-ＲＮＴＩ＃１１）を送信するように構成されている。
【００４９】
受信部１２は、移動局ＵＥや他の無線基地局ｅＮＢ等によって送信された信号を受信するように構成されている。
【００５０】
判定部１３は、移動局ＵＥによって送信され受信部１２によって受信された「ＨＯ  Ｃｏｍｐｌｅｔｅ（ハンドオーバ完了信号）」に含まれているＣ-ＲＮＴＩが、セル＃２において使用可能なＣ-ＲＮＴＩであるか否かについて判定するように構成されている。
【００５１】
リソース割当部１４は、無線基地局ｅＮＢ配下のセルにハンドオーバしてきた移動局ＵＥに対して無線リソースを割り当て、かかる無線リソースを当該移動局ＵＥに対して通知するように構成されている。
【００５２】
ここで、判定部１３が、「ＨＯ  Ｃｏｍｐｌｅｔｅ」に含まれているＣ-ＲＮＴＩがセル＃２において使用可能なＣ-ＲＮＴＩであると判定した場合、リソース割当部１４は、「ＨＯ  Ｃｏｍｐｌｅｔｅ」に含まれているＣ-ＲＮＴＩを用いて、移動局ＵＥに対して割り当てる無線リソースを通知するように構成されている。
【００５３】
なお、リソース割当部１４は、「ＨＯ  Ｃｏｍｐｌｅｔｅ」に含まれているＣ-ＲＮＴＩがセル＃２において使用可能なＣ-ＲＮＴＩでないと判定した場合、移動局ＵＥに対して無線リソースを割り当てることなく（すなわち、移動局ＵＥに対して割り当てる無線リソースを通知することなく）、「ＨＯ  Ｃｏｍｐｌｅｔｅ」を廃棄するように構成されていてもよい。
【００５４】
図５に示すように、移動局ＵＥは、送信部２１と、受信部２２と、再接続手順実施部２３とを具備している。
【００５５】
送信部２１は、無線基地局ｅＮＢに対して信号を送信するように構成されており、受信部２２は、無線基地局ｅＮＢによって送信された信号を受信するように構成されている。
【００５６】
例えば、受信部２２が、無線基地局ｅＮＢ＃１から、セル＃２において使用可能なＣ-ＲＮＴＩを含む「ＨＯ  Ｃｏｍｍａｎｄ（ハンドオーバ指示信号）」を受信した後、送信部２１は、無線基地局ｅＮＢ＃２に対して、「Ｃｏｍｍｏｎ  ＲＡ  Ｐｒｅａｍｂｌｅ（共通のランダムアクセスプリアンブル）」を送信するように構成されている。
【００５７】
また、受信部２２が、「Ｃｏｍｍｏｎ  ＲＡ  Ｐｒｅａｍｂｌｅ」に対する「ＲＡ  Ｒｅｓｐｏｎｓｅ（ランダムアクセス応答）」を受信した後、無線基地局ｅＮＢ＃２に対して、「ＨＯ  Ｃｏｍｍａｎｄ」に含まれているＣ-ＲＮＴＩを含む「ＨＯ  Ｃｏｍｐｌｅｔｅ」を送信するように構成されている。
【００５８】
また、再接続手順実施部２３は、送信部２１によって「ＨＯ  Ｃｏｍｍａｎｄ」が送信された後、無線基地局ｅＮＢ＃２によって割り当てられる無線リソースが通知されることなく、所定期間が経過した場合（例えば、「ＨＯ  Ｃｏｍｍａｎｄ」受信時に起動したタイマＴ３０４が満了した場合）、再接続手順（Ｒｅ-ｅｓｔａｂｌｉｓｈｍｅｎｔ）を行うように構成されている。
【００５９】
（本発明の第１の実施形態に係る移動通信システムの動作）
図６を参照して、本発明の第１の実施形態に係る移動通信システムの動作について説明する。以下、本発明の第１の実施形態に係る移動通信システムの動作について、上述した図９の動作との相違点に着目して説明する。
【００６０】
図６に示すように、ステップＳ１００１において、移動局ＵＥは、セル＃１を管理する無線基地局ｅＮＢ＃１に対して、「ＲＲＣ  Ｍｅａｓｕｒｅｍｅｎｔ  Ｒｅｐｏｒｔ」を送信する。
【００６１】
ステップＳ１００２において、無線基地局ｅＮＢ＃１が、セル２を管理する無線基地局ｅＮＢ＃２に対して、「第１セキュリティ情報」を含む「ＨＯ  Ｐｒｅｐａｒａｔｉｏｎ」を送信する。
【００６２】
ステップＳ１００３において、無線基地局ｅＮＢ＃２が、無線基地局ｅＮＢ＃１に対して、セル＃２において使用可能なＣ-ＲＮＴＩの１つである「Ｃ-ＲＮＴＩ＃１１」を含む「ＨＯ  Ｐｒｅｐａｒａｔｉｏｎ  Ａｃｋ」を送信する。
【００６３】
ステップＳ１００４において、無線基地局ｅＮＢ＃１が、移動局ＵＥに対して、「Ｃ-ＲＮＴＩ＃１１」を含む「ＲＲＣ  Ｒｅｃｏｎｆｉｇｕｒａｔｉｏｎ（ＨＯ  Ｃｏｍｍａｎｄ）」を送信する。
【００６４】
ステップＳ１００５において、移動局ＵＥが、無線基地局ｅＮＢ＃１に対して、ＭＡＣレイヤ（レイヤ２）における「ＲＲＣ  Ｒｅｃｏｎｆｉｇｕｒａｔｉｏｎ（ＨＯ  Ｃｏｍｍａｎｄ）」の受信処理が成功したことを通知するための「ＨＡＲＱ  Ａｃｋ」を送信する。
【００６５】
ステップＳ１００６において、移動局ＵＥは、「ＲＲＣ  Ｒｅｃｏｎｆｉｇｕｒａｔｉｏｎ（ＨＯ  Ｃｏｍｍａｎｄ）」によって指示されたセル＃２に移り、セル＃２に対して下り同期を確立する。
【００６６】
ステップＳ１００７において、移動局ＵＥは、ＲＡＣＨを介して、無線基地局ｅＮＢ＃２に対して、「Ｃｏｍｍｏｎ  ＲＡ  Ｐｒｅａｍｂｌｅ」を送信する。
【００６７】
ステップＳ１００８において、無線基地局ｅＮＢ＃２が、移動局ＵＥに対して、「ＲＡ  Ｒｅｓｐｏｎｓｅ」を送信する。「ＲＡ  Ｒｅｓｐｏｎｓｅ」により、次のステップ１００９において用いるべき上りリソースが割り当てられる。
【００６８】
ステップＳ１００９において、移動局ＵＥが、無線基地局ｅＮＢ＃２に対して、「ＲＡ  Ｒｅｓｐｏｎｓｅ」によって割り当てられた上りリソースを用いて、「Ｃ-ＲＮＴＩ＃１１」及び「第２セキュリティ情報」を含む「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」を送信する。
【００６９】
ステップＳ１０１０において、無線基地局ｅＮＢ＃２が、無線基地局ｅＮＢ＃１によって通知された「第１セキュリティ情報」及び「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に含まれる「第２セキュリティ情報」を用いて移動局ＵＥに対する検証処理を行う。
【００７０】
また、無線基地局ｅＮＢ＃２は、「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に含まれる「Ｃ-ＲＮＴＩ＃１１」が、セル＃２において使用可能であるＣ-ＲＮＴＩであるか否かについて判定する。
【００７１】
ここで、かかる判定結果が「Ｙｅｓ」である場合、本動作は、ステップＳ１０１１に進み、かかる判定結果が「Ｎｏ」である場合、無線基地局ｅＮＢ＃２は、「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」を廃棄する。
【００７２】
かかる状態で、所定期間が経過すると、移動局ＵＥによって「Ｒｅ-ｅｓｔａｂｌｉｓｈｍｅｎｔ（図２に示すステップＳ１０８）」が行われる。
【００７３】
ステップＳ１０１１において、無線基地局ｅＮＢ＃２が、移動局ＵＥに対して、ＭＡＣレイヤ（レイヤ２）における「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」の受信処理が成功したことを通知するための「ＨＡＲＱ  Ａｃｋ」を送信する。
【００７４】
ステップＳ１０１２において、無線基地局ｅＮＢ＃２が、交換機ＭＭＥに対して、「Ｐａｔｈ  Ｓｗｉｔｃｈ」を送信する。
【００７５】
ステップＳ１０１３において、無線基地局ｅＮＢ＃２が、移動局ＵＥ宛てのデータが発生した場合に、「Ｃ-ＲＮＴＩ＃１１」を用いた「ＰＤＣＣＨ（Ｐｈｙｓｉｃａｌ  Ｄｏｗｎｌｉｎｋ  Ｃｏｎｔｒｏｌ  Ｃｈａｎｎｅｌ）」を用いて、移動局ＵＥに対して、スケジューリング情報を送信する。
【００７６】
ステップＳ１０１４において、無線基地局ｅＮＢ＃２が、移動局ＵＥに対して、「ＲＲＣ  Ｒｅｃｏｎｆｉｇｕｒａｔｉｏｎ  Ｃｏｍｐｌｅｔｅ  Ａｃｋｎｏｗｌｅｄｇｅｍｅｎｔ」を送信する。
【００７７】
ステップＳ１０１５において、無線基地局ｅＮＢ＃２が、かかるスケジューリング情報によって割り当てた下りリソースを用いて、移動局ＵＥに対して、移動局ＵＥ宛てのデータ（Ｕ-Ｐｌａｎｅ  Ｄａｔａ）を送信する。
【００７８】
或いは、移動局ＵＥが、ステップ１０１５において、かかるスケジューリング情報によって割り当てられた上りリソースを用いて、無線基地局ｅＮＢ＃２に対して、セル＃２宛てのデータ（Ｕ-Ｐｌａｎｅ  Ｄａｔａ）を送信する。
【００７９】
ステップＳ１０１６において、無線基地局ｅＮＢ＃２が、移動局ＵＥに対して、ＲＬＣレイヤの送達確認情報である「ＲＬＣ  Ｓｔａｔｕｓ」を送信する。
【００８０】
ステップＳ１０１７において、無線基地局ｅＮＢ＃２が、無線基地局ｅＮＢ＃１に対して、「Ｒｅｌｅａｓｅ  Ｒｅｓｏｕｒｃｅ」を送信する。
【００８１】
（本発明の第１の実施形態に係る移動通信システムの作用・効果）
本発明の第１の実施形態に係る移動通信システムによれば、第２無線基地局ｅＮＢ＃２が、移動局ＵＥから、セル＃２において使用可能なＣ-ＲＮＴＩ以外のＣ-ＲＮＴＩを含む「ＨＯ  Ｃｏｍｐｌｅｔｅ」を受信した場合には、かかる「ＨＯ  Ｃｏｍｐｌｅｔｅ」に対して応答しないため、図２に示すＳ１０８の「Ｒｅ-ｅｓｔａｂｌｉｓｈｍｅｎｔ」が行われることになり、「ＰＣＩ  Ｃｏｎｆｕｓｉｏｎ」が発生した際に、「Ｄｅａｄｌｏｃｋ」状態となる事態を回避することができる。
【００８２】
（本発明の第２の実施形態に係る移動通信システム）
図７及び図８を参照して、本発明の第２の実施形態に係る移動通信システムについて説明する。以下、本発明の第２の実施形態に係る移動通信システムについて、上述の本発明の第１の実施形態に係る移動通信システムとの相違点に着目して説明する。
【００８３】
本実施形態に係る移動通信システムは、「ＰＣＩ  Ｃｏｎｆｕｓｉｏｎ」が発生した場合、図２に示すステップＳ１０４の「Ｒｅ-ｅｓｔａｂｌｉｓｈｍｅｎｔ」を行うように構成した。以下、このようにして構成された本実施形態に係る移動通信システムについて説明する。
【００８４】
無線基地局ｅＮＢが、「セル＃２（Ｔａｒｇｅｔ  ｃｅｌｌ）」を管理する無線基地局ｅＮＢ＃２とて動作している場合、記憶部１０は、セル＃２において使用可能な「Ｄｅｄｉｃａｔｅｄ  ＲＡ  Ｐｒｅａｍｂｌｅ（個別のランダムアクセスプリアンブル）」を管理するように構成されている。
【００８５】
なお、本実施形態に係る移動通信システムでは、図７に示すように、各セルにおいて使用可能な「Ｄｅｄｉｃａｔｅｄ  ＲＡ  Ｐｒｅａｍｂｌｅ」が規定されている。
【００８６】
これらの使用可能な「Ｄｅｄｉｃａｔｅｄ  ＲＡ  Ｐｒｅａｍｂｌｅ」は、「ＰＣＩ  ｃｏｎｆｕｓｉｏｎ」の恐れがあるセル間（すなわち、同一ＰＣＩを用いる近隣のセル間）で重複しないよう、規定されている。
【００８７】
例えば、無線基地局ｅＮＢが、上述の無線基地局ｅＮＢ＃２として動作している場合、送信部１１は、無線基地局ｅＮＢ＃１から受信した「ＨＯ  Ｐｒｅｐａｒａｔｉｏｎ」に対する「ＨＯ  Ｐｒｅｐａｒａｔｉｏｎ  ＡＣＫ」によって、無線基地局ｅＮＢ＃１に対して、セル＃２において使用可能な「Ｄｅｄｉｃａｔｅｄ  ＲＡ  Ｐｒｅａｍｂｌｅ」の中から「ＨＯ  Ｃｏｍｍａｎｄ（ハンドオーバ制御信号）」によって移動局ＵＥに割り当てる「Ｄｅｄｉｃａｔｅｄ  ＲＡ  Ｐｒｅａｍｂｌｅ（例えば、Ｄｅｄｉｃａｔｅｄ  ＲＡ  Ｐｒｅａｍｂｌｅ＃３）」を送信するように構成されている。
【００８８】
また、無線基地局ｅＮＢが、上述の無線基地局ｅＮＢ＃２として動作している場合、判定部１３は、移動局ＵＥから受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」であるか否かについて判定するように構成されている。
【００８９】
なお、判定部１３が、移動局ＵＥから受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」であると判定した場合、送信部１１は、移動局ＵＥに対して「ＲＡ  Ｒｅｓｐｏｎｓｅ」を送信するように構成されている。
【００９０】
一方、判定部１３が、移動局ＵＥから受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」ではないと判定した場合、送信部１１は、移動局ＵＥに対して「ＲＡ  Ｒｅｓｐｏｎｓｅ」を送信しないように構成されている。
【００９１】
図８を参照して、本発明の第２の実施形態に係る移動通信システムの動作について説明する。以下、本発明の第２の実施形態に係る移動通信システムの動作について、上述した図９の動作との相違点に着目して説明する。
【００９２】
図８に示すように、ステップＳ１００１Ａにおいて、移動局ＵＥは、セル＃１を管理する無線基地局ｅＮＢ＃１に対して、「ＲＲＣ  Ｍｅａｓｕｒｅｍｅｎｔ  Ｒｅｐｏｒｔ」を送信する。
【００９３】
ステップＳ１００２Ａにおいて、無線基地局ｅＮＢ＃１が、セル２を管理する無線基地局ｅＮＢ＃２に対して、「第１セキュリティ情報」を含む「ＨＯ  Ｐｒｅｐａｒａｔｉｏｎ」を送信する。
【００９４】
ステップＳ１００３Ａにおいて、無線基地局ｅＮＢ＃２が、無線基地局ｅＮＢ＃１に対して、セル＃２において使用可能な「Ｄｅｄｉｃａｔｅｄ  ＲＡ  Ｐｒｅａｍｂｌｅ」の１つである「Ｄｅｄｉｃａｔｅｄ  ＲＡ  Ｐｒｅａｍｂｌｅ＃３」を含む「ＨＯ  Ｐｒｅｐａｒａｔｉｏｎ  Ａｃｋ」を送信する。
【００９５】
ステップＳ１００４Ａにおいて、無線基地局ｅＮＢ＃１が、移動局ＵＥに対して、「Ｄｅｄｉｃａｔｅｄ  ＲＡ  Ｐｒｅａｍｂｌｅ＃３」を含む「ＲＲＣ  Ｒｅｃｏｎｆｉｇｕｒａｔｉｏｎ（ＨＯ  Ｃｏｍｍａｎｄ）」を送信する。
【００９６】
ステップＳ１００５Ａにおいて、移動局ＵＥが、無線基地局ｅＮＢ＃１に対して、ＭＡＣレイヤ（レイヤ２）における「ＲＲＣ  Ｒｅｃｏｎｆｉｇｕｒａｔｉｏｎ（ＨＯ  Ｃｏｍｍａｎｄ）」の受信処理が成功したことを通知するための「ＨＡＲＱ  Ａｃｋ」を送信する。
【００９７】
ステップＳ１００６Ａにおいて、移動局ＵＥは、「ＲＲＣ  Ｒｅｃｏｎｆｉｇｕｒａｔｉｏｎ（ＨＯ  Ｃｏｍｍａｎｄ）」によって指示されたセル＃２に移り、セル＃２に対して下り同期を確立する。
【００９８】
ステップＳ１００７Ａにおいて、移動局ＵＥは、ＲＡＣＨを介して、無線基地局ｅＮＢ＃２に対して、「ＲＲＣ  Ｒｅｃｏｎｆｉｇｕｒａｔｉｏｎ（ＨＯ  Ｃｏｍｍａｎｄ）」に含まれている「Ｄｅｄｉｃａｔｅｄ  ＲＡ  Ｐｒｅａｍｂｌｅ＃３」を送信する。
【００９９】
ここで、無線基地局ｅＮＢ＃２は、受信した「Ｄｅｄｉｃａｔｅｄ  ＲＡ  Ｐｒｅａｍｂｌｅ＃３」が、セル＃２において使用可能である「Ｄｅｄｉｃａｔｅｄ  ＲＡ  Ｐｒｅａｍｂｌｅ」である場合、ステップＳ１００８Ａにおいて、無線基地局ｅＮＢ＃２が、移動局ＵＥに対して、「ＲＡ  Ｒｅｓｐｏｎｓｅ」を送信する。「ＲＡ  Ｒｅｓｐｏｎｓｅ」により、次のステップ１００９Ａにおいて用いるべき上りリソースが割り当てられる。
【０１００】
一方、受信した「Ｄｅｄｉｃａｔｅｄ  ＲＡ  Ｐｒｅａｍｂｌｅ＃３」が、セル＃２において使用可能である「Ｄｅｄｉｃａｔｅｄ  ＲＡ  Ｐｒｅａｍｂｌｅ」でない場合、ステップＳ１００８Ａにおいて、無線基地局ｅＮＢ＃２が、移動局ＵＥに対して、「ＲＡ  Ｒｅｓｐｏｎｓｅ」を送信しない。
【０１０１】
かかる状態で、所定期間が経過すると、移動局ＵＥによって「Ｒｅ-ｅｓｔａｂｌｉｓｈｍｅｎｔ（図２に示すステップＳ１０４）」が行われる。
【０１０２】
ステップＳ１００９Ａにおいて、移動局ＵＥが、無線基地局ｅＮＢ＃２に対して、「ＲＡ  Ｒｅｓｐｏｎｓｅ」によって割り当てられた上りリソースを用いて、「第２セキュリティ情報」を含む「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」を送信する。
【０１０３】
ステップＳ１０１０Ａにおいて、無線基地局ｅＮＢ＃２が、無線基地局ｅＮＢ＃１によって通知された「第１セキュリティ情報」及び「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に含まれる「第２セキュリティ情報」を用いて移動局ＵＥに対する検証処理を行う。
【０１０４】
ステップＳ１０１１Ａにおいて、無線基地局ｅＮＢ＃２が、移動局ＵＥに対して、ＭＡＣレイヤ（レイヤ２）における「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」の受信処理が成功したことを通知するための「ＨＡＲＱ  Ａｃｋ」を送信する。
【０１０５】
ステップＳ１０１２Ａにおいて、無線基地局ｅＮＢ＃２が、交換機ＭＭＥに対して、「Ｐａｔｈ  Ｓｗｉｔｃｈ」を送信する。
【０１０６】
ステップＳ１０１３Ａにおいて、無線基地局ｅＮＢ＃２が、移動局ＵＥ宛てのデータが発生した場合に、セル＃２内における「ｎｅｗ  Ｃ-ＲＮＴＩ」を用いた「ＰＤＣＣＨ（Ｐｈｙｓｉｃａｌ  Ｄｏｗｎｌｉｎｋ  Ｃｏｎｔｒｏｌ  Ｃｈａｎｎｅｌ）」を用いて、移動局ＵＥに対して、スケジューリング情報を送信する。
【０１０７】
ステップＳ１０１４Ａにおいて、無線基地局ｅＮＢ＃２が、移動局ＵＥに対して、「ＲＲＣ  Ｒｅｃｏｎｆｉｇｕｒａｔｉｏｎ  Ｃｏｍｐｌｅｔｅ  Ａｃｋｎｏｗｌｅｄｇｅｍｅｎｔ」を送信する。
【０１０８】
ステップＳ１０１５Ａにおいて、無線基地局ｅＮＢ＃２が、かかるスケジューリング情報によって割り当てた下りリソースを用いて、移動局ＵＥに対して、移動局ＵＥ宛てのデータ（Ｕ-Ｐｌａｎｅ  Ｄａｔａ）を送信する。
【０１０９】
或いは、移動局ＵＥが、ステップ１０１５Ａにおいて、かかるスケジューリング情報によって割り当てられた上りリソースを用いて、無線基地局ｅＮＢ＃２に対して、セル＃２宛てのデータ（Ｕ-Ｐｌａｎｅ  Ｄａｔａ）を送信する。
【０１１０】
ステップＳ１０１６Ａにおいて、無線基地局ｅＮＢ＃２が、移動局ＵＥに対して、ＲＬＣレイヤの送達確認情報である「ＲＬＣ  Ｓｔａｔｕｓ」を送信する。
【０１１１】
ステップＳ１０１７Ａにおいて、無線基地局ｅＮＢ＃２が、無線基地局ｅＮＢ＃１に対して、「Ｒｅｌｅａｓｅ  Ｒｅｓｏｕｒｃｅ」を送信する。
【０１１２】
本発明の第２の実施形態に係る移動通信システムによれば、移動局ＵＥが、セル＃２において使用可能な「Ｄｅｄｉｃａｔｅｄ  ＲＡ  Ｐｒｅａｍｂｌｅ」以外の「Ｄｅｄｉｃａｔｅｄ  ＲＡ  Ｐｒｅａｍｂｌｅ」を送信した場合には、かかる「Ｄｅｄｉｃａｔｅｄ  ＲＡ  Ｐｒｅａｍｂｌｅ」に対して第２無線基地局ｅＮＢ＃２が応答しないため、図２に示すＳ１０４の「Ｒｅ-ｅｓｔａｂｌｉｓｈｍｅｎｔ」が行われることになり、「ＰＣＩ  Ｃｏｎｆｕｓｉｏｎ」が発生した際に、「Ｄｅａｄｌｏｃｋ」状態となる事態を回避することができる。
【０１１３】
以上に述べた本実施形態の特徴は、以下のように表現されていてもよい。
【０１１４】
本実施形態の第１の特徴は、移動局ＵＥが、セル＃１（第１セル）からセル＃２（第２セル）にハンドオーバを行うハンドオーバ方法であって、セル＃１を管理する無線基地局ｅＮＢ＃１（第１無線基地局）が、移動局ＵＥに対して、セル＃２において使用可能なＣ-ＲＮＴＩ（移動局識別情報）を含む「ＨＯ  Ｃｏｍｍａｎｄ（ハンドオーバ指示信号）」を送信する工程と、移動局ＵＥが、「ＨＯ  Ｃｏｍｍａｎｄ」を受信した後、セル＃２を管理する無線基地局ｅＮＢ＃２（第２無線基地局）に対して、「Ｃｏｍｍｏｎ  ＲＡ  Ｐｒｅａｍｂｌｅ（共通のランダムアクセスプリアンブル）」を送信する工程と、移動局ＵＥが、「Ｃｏｍｍｏｎ  ＲＡ  Ｐｒｅａｍｂｌｅ」に対する「ＲＡ  Ｒｅｓｐｏｎｓｅ（ランダムアクセス応答）」を受信した後、無線基地局ｅＮＢ＃２に対して、「ＨＯ  Ｃｏｍｍａｎｄ」に含まれているＣ-ＲＮＴＩを含む「ＨＯ  Ｃｏｍｐｌｅｔｅ（ハンドオーバ完了信号）」を送信する工程と、無線基地局ｅＮＢ＃２が、「ＨＯ  Ｃｏｍｐｌｅｔｅ」に含まれているＣ-ＲＮＴＩがセル＃２において使用可能なＣ-ＲＮＴＩであると判定した場合、「ＨＯ  Ｃｏｍｐｌｅｔｅ」に含まれているＣ-ＲＮＴＩを用いて、移動局ＵＥに対して割り当てる無線リソースを通知する工程とを有することを要旨とする。
【０１１５】
本実施形態の第１の特徴において、移動局ＵＥが、「ＨＯ  Ｃｏｍｍａｎｄ」を送信した後、無線基地局ｅＮＢ＃２からの「ＨＡＲＱ  Ａｃｋ（応答）」を受信することなく、所定期間が経過した場合（例えば、タイマＴ３０４が満了した場合）、再接続手順を行う工程を更に有してもよい。
【０１１６】
本実施形態の第１の特徴において、無線基地局ｅＮＢ＃２が、「ＨＯ  Ｃｏｍｐｌｅｔｅ」に含まれているＣ-ＲＮＴＩがセル＃２において使用可能なＣ-ＲＮＴＩでないと判定した場合、「ＨＯ  Ｃｏｍｐｌｅｔｅ」に対して応答することなく、「ＨＯ  Ｃｏｍｐｌｅｔｅ」を廃棄する工程を更に有してもよい。
【０１１７】
本実施形態の第２の特徴は、移動局ＵＥが、セル＃１からセル＃２にハンドオーバを行うハンドオーバ方法であって、セル＃１を管理する無線基地局ｅＮＢ＃１が、移動局ＵＥに対して、Ｃ-ＲＮＴＩを含む「ＨＯ  Ｃｏｍｍａｎｄ」を送信する工程と、移動局ＵＥが、「ＨＯ  Ｃｏｍｍａｎｄ」を受信した後、セル＃２を管理する無線基地局ｅＮＢ＃２に対して、セル＃２において使用可能な「Ｄｅｄｉｃａｔｅｄ  ＲＡ  Ｐｒｅａｍｂｌｅ（個別のランダムアクセスプリアンブル）」を送信する工程と、無線基地局ｅＮＢ＃２が、受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」であると判定した場合、移動局ＵＥに対して、「ＲＡ  Ｒｅｓｐｏｎｓｅ」を送信する工程と、移動局ＵＥが、「ＲＡ  Ｒｅｓｐｏｎｓｅ」を受信した後、無線基地局ｅＮＢ＃２に対して、「ＨＯ  Ｃｏｍｐｌｅｔｅ」を送信する工程と、無線基地局ｅＮＢ＃２が、「ＨＯ  Ｃｏｍｐｌｅｔｅ」を受信した後、移動局ＵＥに対して割り当てる無線リソースを通知する工程とを有することを要旨とする。
【０１１８】
本実施形態の第２の特徴において、移動局ＵＥが、「Ｄｅｄｉｃａｔｅｄ  ＲＡ  Ｐｒｅａｍｂｌｅ」を送信した後、「ＲＡ  Ｒｅｓｐｏｎｓｅ」を受信することなく、所定期間が経過した場合（例えば、タイマＴ３０４が満了した場合）、再接続手順を行う工程を更に有してもよい。
【０１１９】
本実施形態の第２の特徴において、無線基地局ｅＮＢ＃２が、受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」でないと判定した場合、移動局ＵＥに対して「ＲＡ  Ｒｅｓｐｏｎｓｅ」を送信しない工程を更に有してもよい。
【０１２０】
本実施形態の第３の特徴は、移動局ＵＥがセル＃１からセル＃２にハンドオーバを行う場合にセル＃２を管理する無線基地局ｅＮＢ＃２として動作可能な無線基地局ｅＮＢであって、セル＃１を管理する無線基地局ｅＮＢ＃１から受信した「ＨＯ  Ｐｒｅｐａｒａｔｉｏｎ（ハンドオーバ準備信号）」に対する「ＨＯ  Ｐｒｅｐａｒａｔｉｏｎ  ＡＣＫ（応答）」によって、無線基地局ｅＮＢ＃１に対して、セル＃２において使用可能なＣ-ＲＮＴＩを送信するように構成されている送信部１１と、移動局ＵＥから受信した「ＨＯ  Ｃｏｍｐｌｅｔｅ」に含まれているＣ-ＲＮＴＩがセル＃２において使用可能なＣ-ＲＮＴＩであると判定した場合、「ＨＯ  Ｃｏｍｐｌｅｔｅ」に含まれているＣ-ＲＮＴＩを用いて、移動局ＵＥに対して割り当てる無線リソースを通知するように構成されているリソース割当部１４とを具備することを要旨とする。
【０１２１】
本実施形態の第３の特徴において、リソース割当部１４は、「ＨＯ  Ｃｏｍｐｌｅｔｅ」に含まれているＣ-ＲＮＴＩがセル＃２において使用可能なＣ-ＲＮＴＩでないと判定した場合、「ＨＯ  Ｃｏｍｐｌｅｔｅ」に対して応答することなく、「ＨＯ  Ｃｏｍｐｌｅｔｅ」を廃棄するように構成されていてもよい。
【０１２２】
本実施形態の第４の特徴は、移動局ＵＥがセル＃１からセル＃２にハンドオーバを行う場合にセル＃２を管理する無線基地局ｅＮＢ＃２として動作可能な無線基地局ｅＮＢであって、移動局ＵＥから受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」であると判定した場合、移動局ＵＥに対して「ＲＡ  Ｒｅｓｐｏｎｓｅ」を送信するように構成されている送信部１１と、移動局ＵＥに対して「ＲＡ  Ｒｅｓｐｏｎｓｅ」を送信した後、移動局ＵＥから「ＨＯ  Ｃｏｍｐｌｅｔｅ」を受信した場合、移動局ＵＥに対して割り当てる無線リソースを通知するように構成されているリソース割当部１４とを具備することを要旨とする。
【０１２３】
本実施形態の第４の特徴において、リソース割当部１４は、移動局ＵＥから受信した「Ｄｅｄｉｃａｔｅｄ  ＲＡ  Ｐｒｅａｍｂｌｅ」がセル＃２において使用可能な「Ｄｅｄｉｃａｔｅｄ  ＲＡ  Ｐｒｅａｍｂｌｅ」でないと判定した場合、移動局ＵＥに対して「ＲＡ  Ｒｅｓｐｏｎｓｅ」を送信しないように構成されていてもよい。
【０１２４】
本実施形態の第５の特徴は、セル＃１からセル＃２にハンドオーバを行うことができる移動局ＵＥであって、セル＃１を管理する無線基地局ｅＮＢ＃１から、セル＃２において使用可能なＣ-ＲＮＴＩを含む「ＨＯ  Ｃｏｍｍａｎｄ」を受信した後、セル＃２を管理する無線基地局ｅＮＢ＃２に対して、「Ｃｏｍｍｏｎ  ＲＡ  Ｐｒｅａｍｂｌｅ」を送信するように構成されており、「Ｃｏｍｍｏｎ  ＲＡ  Ｐｒｅａｍｂｌｅ」に対する「ＲＡ  Ｒｅｓｐｏｎｓｅ」を受信した後、無線基地局ｅＮＢ＃２に対して、「ＨＯ  Ｃｏｍｍａｎｄ」に含まれているＣ-ＲＮＴＩを含む「ＨＯ  Ｃｏｍｐｌｅｔｅ」を送信するように構成されている送信部２１とを具備することを要旨とする。
【０１２５】
本実施形態の第５の特徴において、「ＨＯ  Ｃｏｍｍａｎｄ」を送信した後、無線基地局ｅＮＢ＃２からの「ＨＡＲＱ  Ａｃｋ（応答）」を受信することなく、所定期間が経過した場合（例えば、タイマＴ３０４が満了した場合）、再接続手順を行うように構成されている再接続手順実施部２３を更に具備してもよい。
【０１２６】
本実施形態の第６の特徴は、セル＃１からセル＃２にハンドオーバを行うことができる移動局ＵＥであって、セル＃１を管理する無線基地局ｅＮＢ＃１から「ＨＯ  Ｃｏｍｍａｎｄ」を受信した後、セル＃２を管理する無線基地局ｅＮＢ＃２に対して、セル＃２において使用可能な「Ｄｅｄｉｃａｔｅｄ  ＲＡ  Ｐｒｅａｍｂｌｅ」を送信するように構成されており、無線基地局ｅＮＢ＃２から、「Ｄｅｄｉｃａｔｅｄ  ＲＡ  Ｐｒｅａｍｂｌｅ」に対する「ＲＡ  Ｒｅｓｐｏｎｓｅ」を受信した後、無線基地局ｅＮＢ＃２に対して「ＨＯ  Ｃｏｍｐｌｅｔｅ」を送信するように構成されている送信部２１とを具備することを要旨とする。
【０１２７】
本実施形態の第６の特徴において、「Ｄｅｄｉｃａｔｅｄ  ＲＡ  Ｐｒｅａｍｂｌｅ」を送信した後、「ＲＡ  Ｒｅｓｐｏｎｓｅ」を受信することなく、所定期間が経過した場合（例えば、タイマＴ３０４が満了した場合）、再接続手順を行うように構成されている再接続手順実施部２３を更に具備してもよい。
【０１２８】
以上を鑑みると、「ＰＣＩ  ｃｏｎｆｕｓｉｏｎ」により、移動局ＵＥが、無線基地局ｅＮＢ＃１によって送信された「ＨＯ  Ｃｏｍｍａｎｄ」で指示されたセルと異なるセルを管理する無線基地局ｅＮＢ＃２に対してハンドオーバを行い、「ＨＯ  Ｃｏｍｐｌｅｔｅ」を送信した場合に、かかる無線基地局ｅＮＢ＃２が、「ＨＯ  Ｃｏｍｐｌｅｔｅ」に対して反応しなければ、混信等の致命的な問題を回避することができる。
【０１２９】
無線基地局ｅＮＢ＃２が、かかる「ＨＯ  Ｃｏｍｐｌｅｔｅ」を受信しない或いは受信しても破棄することを保証するために、先に詳述した通り、各セルにおいて使用可能な「Ｃ-ＲＮＴＩ」或いは「Ｄｅｄｉｃａｔｅｄ  ＲＡ  Ｐｒｅａｍｂｌｅ」を分けることが考えられる。
【０１３０】
「ＰＣＩ  ｃｏｎｆｕｓｉｏｎ」が生じ得る近隣セル間で、使用可能な「Ｃ-ＲＮＴＩ」或いは「Ｄｅｄｉｃａｔｅｄ  ＲＡ  Ｐｒｅａｍｂｌｅ」の範囲が分割されていればよい。
【０１３１】
また、無線基地局ｅＮＢ＃２が、かかる「ＨＯ  Ｃｏｍｐｌｅｔｅ」を受信しない或いは受信しても破棄することを保証するためには、「Ｃｏｍｍｏｎ  ＲＡ  Ｐｒｅａｍｂｌｅ」乃至「Ｄｅｄｉｃａｔｅｄ  ＲＡ  Ｐｒｅａｍｂｌｅ」を送信する物理ランダムアクセスチャネル「ＰＲＡＣＨ」のｃｏｎｆｉｇｕｒａｔｉｏｎを、「ＰＣＩ  ｃｏｎｆｕｓｉｏｎ」が生じ得る近隣セル間で、異なるように設定することができる。
【０１３２】
例えば、「ＲＡ  Ｐｒｅａｍｂｌｅ」の系列を生成するための「ｒｏｏｔ  ｓｅｑｕｅｎｃｅ」の設定を変えることや、「ＰＲＡＣＨ」の時間/周波数方向の物理リソースブロック割り当て、すなわち、「ＰＲＡＣＨ  ｃｏｎｆｉｇｕｒａｔｉｏｎ」を変えればよい。
【０１３３】
また、前記使用可能な「Ｃ-ＲＮＴＩ」や「Ｄｅｄｉｃａｔｅｄ  ＲＡ  Ｐｒｅａｍｂｌｅ」の設定、「ｒｏｏｔ  ｓｅｑｕｅｎｃｅ」や「ＰＲＡＣＨ  ｃｏｎｆｉｇｕｒａｔｉｏｎ」の設定は、無線基地局の起動時等に、「ｐｌｕｇ  ａｎｄ  ｐｌａｙ」手順によって、自動的に設定されてもよい。
【０１３４】
例えば、無線基地局の起動時に、ＯＡＭサーバに接続し、かかる設定が、ＯＡＭサーバから無線基地局に対して設定されてもよい。
【０１３５】
なお、上述において、「ＰＣＩ  ｃｏｎｆｕｓｉｏｎ」が生じ得る近隣セルとは、任意のセルに着目した場合に、当該セルからのハンドオーバ先候補となるセルの内、同一ＰＣＩを用いるセルの総体を示す。
【０１３６】
「ＰＣＩ  ｃｏｎｆｕｓｉｏｎ」が生じ得る近隣セルのセットに含まれるセルは、無線基地局の「ｐｌｕｇ  ａｎｄ  ｐｌａｙ」機能により自動的に求められてもよい。
【０１３７】
なお、上述の無線基地局ｅＮＢや交換局ＭＭＥや移動局ＵＥの動作は、ハードウェアによって実施されてもよいし、プロセッサによって実行されるソフトウェアモジュールによって実施されてもよいし、両者の組み合わせによって実施されてもよい。
【０１３８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや交換局ＭＭＥや移動局ＵＥ内に設けられていてもよい。また、かかる記憶媒体及びプロセッサは、ディスクリートコンポーネントとして無線基地局ｅＮＢや交換局ＭＭＥや移動局ＵＥ内に設けられていてもよい。
【０１４０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４１】
ｅＮＢ…無線基地局
ＵＥ…移動局
１１、２１…送信部
１２、２２…受信部
１３…判定部
１４…リソース割当部
２３…再接続処理実行部
【図１】
2011004377.tif 000003
【図２】
2011004377.tif 000004
【図３】
2011004377.tif 000005
【図４】
2011004377.tif 000006
【図５】
2011004377.tif 000007
【図６】
2011004377.tif 000008
【図７】
2011004377.tif 000009
【図８】
2011004377.tif 000010
【図９】
2011004377.tif 000011
【図１０】
2011004377.tif 000012